(57)【要約】【課題】部品間で通信異常が発生した際に故障箇所を特定することが可能な画像読取装置を提供する。【解決手段】画像読取装置は、画像読取部１０３、画像制御部１２２、及び画像制御部１２２と画像読取部１０３とを電気的に接続するＦＦＣ１１８を備える。画像制御部１２２は、電源起動時或いは画像読取処理の開始前にＦＦＣ１１８が正常に接続されているか否かを検知する。画像制御部１２２は、ＦＦＣ１１８が正常に接続されていなければ処理を終了し、ＦＦＣ１１８が正常に接続されていれば画像制御部１２２と画像読取部１０３との間で通信を行う。画像制御部１２２は、通信が正常に行える場合に画像読取部１０３に画像読取処理を行わせ、通信が正常に行えない場合に画像制御部１２２と画像読取部１０３とのいずれが故障しているかを判断する。【選択図】図２
2020115622.tif 000002
【特許請求の範囲】
【請求項１】
原稿から画像を読み取る画像読取処理を行う画像読取手段と、
前記画像読取手段の動作を制御する画像制御手段と、
前記画像制御手段と前記画像読取手段とを電気的に接続するケーブルと、を備え、
前記画像制御手段は、電源起動時或いは前記画像読取処理の開始前に前記ケーブルが正常に接続されているか否かを検知し、前記ケーブルが正常に接続されていなければ処理を終了し、前記ケーブルが正常に接続されていれば前記画像制御手段と前記画像読取手段との間で通信を行い、通信が正常に行える場合に前記画像読取手段に前記画像を読み取らせ、通信が正常に行えない場合に前記画像制御手段から出力した信号を該画像制御手段に帰還させた結果に基づいて、前記画像制御手段と前記画像読取手段とのいずれが故障しているかを判断することを特徴とする、
画像読取装置。
【請求項２】
前記画像読取手段の内部で前記画像制御手段へ帰還するための配線と、該配線で接続される前記ケーブルに含まれる２本の信号線と、を含むループバック部を備えており、
前記画像制御手段は、前記ループバック部により送信した信号を受信することで、前記ケーブルが正常に接続されているか否かを検知することを特徴とする、
請求項１記載の画像読取装置。
【請求項３】
前記画像読取手段は、移動しながら前記画像を読み取り、
前記画像制御手段は、前記画像読取手段が移動しながら前記画像を読み取る間、前記ケーブルの接続検知を行うことを特徴とする、
請求項１又は２記載の画像読取装置。
【請求項４】
前記画像制御手段は、前記画像読取手段が移動しながら前記画像を読み取る間、所定時間間隔で前記ケーブルの接続検知を行うことを特徴とする、
請求項３記載の画像読取装置。
【請求項５】
前記画像制御手段は、前記ケーブルを介して前記画像読取手段にデータを書き込み、前記ケーブルを介して前記画像読取手段に書き込んだ前記データを読み出して確認することで、前記画像制御手段と前記画像読取手段との間で通信が正常に行われているか否かを確認することを特徴とする、
請求項１〜４のいずれか１項記載の画像読取装置。
【請求項６】
前記画像制御手段は、前記ケーブルが接続されるコネクタと、前記コネクタの内部或いは前記コネクタの近傍で前記ケーブルに含まれる第１信号線から分岐されるフィードバック線と、を備えており、
前記画像制御手段は、前記第１信号線により前記画像読取手段に送信した信号と前記フィードバック線から取得した信号とにより前記画像制御手段と前記画像読取手段とのいずれが故障しているかを判断することを特徴とする、
請求項１〜５のいずれか１項記載の画像読取装置。
【請求項７】
前記画像制御手段は、前記第１信号線により前記画像読取手段に送信する予定の信号の数である設定値と、前記フィードバック線から取得した信号の数のカウント値とを比較して、前記画像制御手段と前記画像読取手段とのいずれが故障しているかを判断することを特徴とする、
請求項６記載の画像読取装置。
【請求項８】
前記画像制御手段は、前記設定値と前記カウント値とが同値であれば前記画像読取手段が故障していると判断し、前記設定値と前記カウント値とが異なれば前記画像制御手段が故障していると判断することを特徴とする、
請求項７記載の画像読取装置。
【請求項９】
前記画像制御手段は、前記画像読取手段に前記ケーブルを介して電力を供給しており、前記画像制御手段と前記画像読取手段との間で通信が正常に行えない場合に、前記電力の供給が正常に行われているか否かを確認し、前記電力の供給が正常に行われていない場合に電源に異常が発生していると判断することを特徴とする、
請求項１〜８のいずれか１項記載の画像読取装置。
【請求項１０】
前記画像制御手段は、前記ケーブルの前記電力を供給する供給線に所定量以上の電流が流れると溶断する保護素子と、前記保護素子の溶断を確認する監視手段と、を備えており、
前記画像制御手段は、前記監視手段により確認結果により前記電力の供給が正常に行われているか否かを確認することを特徴とする、
請求項９記載の画像読取装置。
【請求項１１】
前記ケーブルは、フレキシブルフラットケーブルであることを特徴とする、
請求項１〜１０のいずれか１項記載の画像読取装置。
【請求項１２】
制御部として機能する第１電気部品と、
被制御部として機能する第２電気部品と、
前記第１電気部品と前記第２電気部品とを電気的に接続するケーブルと、を備え、
前記第１電気部品は、電源起動時或いは前記第２電気部品の動作の開始前に前記ケーブルが正常に接続されているか否かを検知し、前記ケーブルが正常に接続されていなければ処理を終了し、前記ケーブルが正常に接続されていれば前記第１電気部品と前記第２電気部品との間で通信を行い、通信が正常に行える場合に前記第２電気部品を動作させ、通信が正常に行えない場合に前記第１電気部品から出力した信号を該第１電気部品に帰還させた結果に基づいて、前記第１電気部品と前記第２電気部品とのいずれが故障しているかを判断することを特徴とする、
異常診断装置。
【発明の詳細な説明】
【技術分野】
【０００１】
本発明は、原稿から画像を読み取る画像読取部と画像読取部の動作を制御する画像制御部との接続状態や故障状態を診断する異常診断装置を備えた画像読取装置に関する。
【背景技術】
【０００２】
画像読取部と画像制御部とは、例えばフレキシブルフラットケーブル（以下、「ＦＦＣ」という。）により接続されて通信を行う。画像読取部は、原稿台上に載置された原稿から画像を読み取る場合に、移動しながら読取動作を行うことになる。通常、ＦＦＣは、複数の信号線をまとめて一つのケーブルとして構成されるために、移動する画像読取部と画像制御部との接続に好適である。従来のこのようなＦＦＣは、断線や未接続を検出するための信号線が、ＦＦＣの幅方向の両端部に設けられる。画像読取装置は、該信号線の電気的な接続状態を検出することで、ＦＦＣの断線や未接続を検出する。なお、ＦＦＣは、画像読取装置に限らず、様々な電気機器内部の部品間の電気的な配線に用いることができる。
【０００３】
特許文献１は、ＦＦＣの幅方向の両端部の信号線を用いて接続状態を診断する異常診断装置を開示する。この異常診断装置は、ＦＦＣの幅方向の一端の信号線から信号を送信し、他端の信号線により該信号を受信したか否かを判断することでＦＦＣの接続状態を診断する。ＦＦＣは、応力や周囲の板金等と接触することで幅方向の端部にストレスがかかることで、幅方向の端部の信号線が断線することがある。この場合、特許文献１の異常診断装置は有用である。また、特許文献１の異常診断装置は、ＦＦＣの挿し忘れ等の未接続状態を異常動作を行う前に検出可能である。
【先行技術文献】
【特許文献】
【０００４】
【特許文献１】特開２００６−１２８９６９号公報
【発明の概要】
【発明が解決しようとする課題】
【０００５】
しかしながら、特許文献１の異常診断装置では、ＦＦＣの幅方向の両端の信号線は、接続状態を診断するための専用線となり、各種の信号が伝送されない。また、該信号線によりＦＦＣの接続状態が正常であると判断された場合であっても、実際に信号の伝送を行う信号線の接続状態が異常であれば、画像制御部と画像読取部との間で通信不良が発生する可能性もある。この場合、画像読取装置の動作異常の原因の特定が困難になる。そのために、サービスマンによる故障箇所の特定や修理、部品交換等の作業に時間がかかってしまう。
【０００６】
本発明は、上記課題に鑑みてなされたものであり、部品間で通信異常が発生した際に故障箇所を特定することが可能な画像読取装置を提供することを目的とする。
【課題を解決するための手段】
【０００７】
本発明の画像読取装置は、原稿から画像を読み取る画像読取処理を行う画像読取手段と、前記画像読取手段の動作を制御する画像制御手段と、前記画像制御手段と前記画像読取手段とを電気的に接続するケーブルと、を備え、前記画像制御手段は、電源起動時或いは前記画像読取処理の開始前に前記ケーブルが正常に接続されているか否かを検知し、前記ケーブルが正常に接続されていなければ処理を終了し、前記ケーブルが正常に接続されていれば前記画像制御手段と前記画像読取手段との間で通信を行い、通信が正常に行える場合に前記画像読取手段に前記画像を読み取らせ、通信が正常に行えない場合に前記画像制御手段から出力した信号を該画像制御手段に帰還させた結果に基づいて、前記画像制御手段と前記画像読取手段とのいずれが故障しているかを判断することを特徴とする。
【発明の効果】
【０００８】
本発明によれば、部品間の通信異常時に故障箇所を特定することが可能である。
【図面の簡単な説明】
【０００９】
【図１】画像読取装置の構成説明図。
【図２】（ａ）〜（ｃ）は画像制御部と画像読取部との接続状態の説明図。
【図３】画像読取処理を表すフローチャート。
【発明を実施するための形態】
【００１０】
以下、実施の形態を図面を参照しつつ詳細に説明する。
【００１１】
図１は、本実施形態の異常診断装置を備える画像読取装置の構成説明図である。画像読取装置１００は、筐体であるリーダフレーム１０１内に、原稿を走査して画像を読み取るためのキャリッジ１０２、及び画像読取装置１００の動作を制御する画像制御部１２２を備える。リーダフレーム１０１は、読取対象となる原稿が載置される原稿台ガラス１０５を備える。リーダフレーム１０１は、不図示の自動原稿搬送装置（以下、「ＡＤＦ：Auto Document Feeder」という。）から原稿が搬送される場合の読取位置となる流し読みガラス１０４を備える。画像読取装置１００は、ＡＤＦや不図示の厚板の開閉を検知するための開閉検知レバー１２１を備える。
【００１２】
キャリッジ１０２は、画像読取部１０３と、白色ＬＥＤ（Light Emitting Diode）等の発光素子を光源として有する原稿照明部１２３と、を備える。画像読取部１０３と原稿照明部１２３とは、それぞれ異なる基板に実装される。原稿照明部１２３は、原稿の走査時に原稿に光を照射する発光部であり、画像制御部１２２により点灯、消灯の発光制御が行われる。画像読取部１０３は、原稿照明部１２３により照射された光の原稿による反射光を受光する受光部を備え、受光した反射光に基づいて原稿の画像を表す画像データを生成する。画像読取部１０３は、フレキシブルフラットケーブル（ＦＦＣ１１８）により画像制御部１２２に電気的に接続される。画像読取部１０３は、生成した画像データをＦＦＣ１１８を介して画像制御部１２２へシリアル通信により送信する。画像読取部１０３は、ＦＦＣ１１８を介してシリアル通信により画像制御部１２２から各種の動作制御の指示を取得する。画像読取部１０３は、取得した動作制御の指示に応じて、画像読取の際の各種の設定や、原稿照明部１２３の発光制御を行う。
【００１３】
キャリッジ１０２は、レール１１５上を移動可能である。キャリッジ１０２にはフラグ１１６が付加される。画像読取装置１００は、キャリッジ１０２が原稿を走査するときの基準となる位置（ＨＰ位置）を検知するために、ＨＰ検知部１１７を備える。ＨＰ検知部１１７は、例えばフォトインタラプタであり、キャリッジ１０２のフラグ１１６により発光素子と受光素子との間の光路が遮蔽されることで、キャリッジ１０２がＨＰ位置に到達したことを検知する。ＨＰ検知部１１７による検知結果は、画像制御部１２２へ送信される。
【００１４】
画像制御部１２２は、ＡＳＩＣ（Application Specific Integrated Circuit）等の半導体装置が基板に実装されることで構成される。画像制御部１２２は、上記のような画像読取部１０３及び原稿照明部１２３の動作制御の他に、キャリッジ１０２のレール１１５上の移動を制御する。キャリッジ１０２をレール１１５上で移動させるための構成は、光学モータ１０６、タイミングベルト１０８、糸車１１０、１１３、駆動軸１１１、１１２、及びワイヤ１１４を備える。
【００１５】
画像制御部１２２は、モータを制御するためのモジュールによりモータドライバを制御することで、光学モータ１０６を駆動制御する。光学モータ１０６は、例えばステッピングモータである。光学モータ１０６は、モータ軸にタイミングベルト１０８が掛け回されるプーリー１０７が圧入される。光学モータ１０６が回転することで発生する駆動力は、タイミングベルト１０８を介して糸車１１０に隣接される不図示のギアへ伝達される。糸車１１０は、ワイヤ１１４が巻き付けられ、駆動軸１１１が接続される。糸車１１０と、駆動軸１１１と対象位置に配置された駆動軸１１２に接続される糸車１１３と、の間には、ワイヤ１１４が掛け回される。ワイヤ１１４は、不図示の金具によりキャリッジ１０２が固定される。糸車１１０が光学モータ１０６からの駆動力により回転することでワイヤ１１４が回転し、キャリッジ１０２がレール１１５上を移動する。原稿台ガラス１０５に載置された原稿の画像を読み取る際には、キャリッジ１０２は、レール１１５上を移動しながら読取動作を行うことなる。レール１１５の延びる方向（キャリッジ１０２の移動方向）が副走査方向となる。なお、ＡＤＦから搬送される原稿の画像を読み取る場合、キャリッジ１０２は、流し読みガラス１０４の下方に固定される。
【００１６】
キャリッジ１０２内で消費される電力は、給電線１２０により供給される。給電線１２０は、ワイヤ１１４やＦＦＣ１１８と分けて別経路へ導くガイド板１１９により、画像読取装置１００の奥側を這い回される。なお、ＦＦＣ１１８に含まれる信号線を給電に用いることにより、給電線１２０を不要としてもよい。
【００１７】
ＦＦＣ１１８の摺動について説明する。ＦＦＣ１１８は、一方の端部が画像読取部１０３に実装されたコネクタに接続され、他方の端部が画像制御部１２２に実装されたコネクタに接続される。原稿台ガラス１０５に載置された原稿の画像を読み取る場合、キャリッジ１０２は、ＨＰ位置から原稿の端部まで副走査方向に移動する。これによりＦＦＣ１１８は、ＨＰ位置から原稿の副走査方向の端部までの画像読取部１０３の移動に応じて、リーダフレーム１０１内部を摺動する。ＡＤＦから搬送される原稿の画像を読み取る場合、画像読取部１０３は、ＨＰ位置から流し読みガラス１０４の下方へ移動して停止する。これによりＦＦＣ１１８は、画像読取部１０３の移動時にのみリーダフレーム１０１内部を摺動し、画像読取中には摺動しない。ＦＦＣ１１８は、摺動することで破損する可能性が高くなる。ＦＦＣ１１８の内部の信号線が断線した場合、ＦＦＣ１１８の姿勢によっては断線している部分が接続する場合がある。つまり、摺動することによりＦＦＣ１１８の屈曲部分および屈曲度合いが変化する。よって、断線部分がある姿勢では断線しているが、他の姿勢では接続されてしまう場合がある。
【００１８】
図２は、画像制御部１２２と画像読取部１０３との接続状態の説明図である。図２（ａ）は、画像制御部１２２と画像読取部１０３との接続状態を表す。図２（ｂ）は、画像制御部１２２に設けられる後述のフィードバック部２０５の拡大図である。図２（ｃ）はフィードバック部２０５の変形例である。
【００１９】
画像読取部１０３は、センサ部２１２とＡＤ変換部２２２とを備える。センサ部２１２は、原稿による反射光を受光して光電変換することでアナログ信号を生成する受光素子により構成される受光部である。ＡＤ変換部２２２は、センサ部２１２でアナログ信号に変換された反射光をデジタル信号に変換して画像データを生成するＡＦＥ（Analog Front End）である。ＡＤ変換部２２２は、画像データを生成する際に、設定条件に応じて各種の画像処理を行ってもよい。ＡＤ変換部２２２は、複数の信号線を含むＦＦＣ１１８により画像制御部１２２に接続される。画像制御部１２２による画像読取部１０３及び原稿照明部１２３の動作制御の指示や各種の設定は、ＡＤ変換部２２２を経由して行われる。
【００２０】
画像制御部１２２は、画像読取装置１００の動作を制御する制御部２０１と、画像制御部１２２から画像読取部１０３への電力の供給状態を監視する電源監視部２０２と、ヒューズ２０３と、を備える。制御部２０１、電源監視部２０２、及びヒューズ２０３は、異常診断装置として機能する。制御部２０１は、ＦＦＣ１１８により画像読取部１０３（ＡＤ変換部２２２）に接続される。制御部２０１とＡＤ変換部２２２とは、ＦＦＣ１１８を介してシリアル通信を行う。制御部２０１は、ＨＰ検知部１１７の検知結果を表す検知信号を受信して、上記のようなキャリッジ１０２の移動制御も行う。
【００２１】
制御部２０１とＡＤ変換部２２２とを接続するシリアル通信線は、画像制御部１２２内の制御部２０１からコネクタ２０４までの配線、ＦＦＣ１１８、及び画像読取部１０３内のコネクタ２２３からＡＤ変換部２２２までの配線により構成される。コネクタ２０４の端子に接続されている複数の配線の一部の配線（シリアル通信線）がＦＦＣ１１８方向と制御部２０１方向とに分岐される。制御部２０１方向へ分岐されたシリアル通信線（以下、「フィードバック線２０６」）は、制御部２０１が出力した信号を制御部２０１へ帰還するフィードバック部２０５を構成する。
【００２２】
フィードバック部２０５について説明する。なお、以下の説明では、制御部２０１からＡＤ変換部２２２へ信号を送信する場合を想定しており、制御部２０１側を「上流」、ＡＤ変換部２２２側を「下流」とする。制御部２０１からコネクタ２０４までのシリアル通信線の間には、電気部品２０７（ここでは抵抗器）が設けられている。
【００２３】
図２（ｂ）に示すフィードバック部２０５の拡大図では、シリアル通信線の分岐部が電気部品２０７の下流側のコネクタ２０４の内部或いはコネクタ２０４の下流側（ＦＦＣ１１８側）の近傍に設けられる。シリアル通信線がコネクタ２０４内或いはコネクタ２０４の下流側でフィードバック線２０６とＦＦＣ１１８とに分岐することで、制御部２０１には、電気部品２０７及びコネクタ２０４を介して信号が帰還される。制御部２０１は、制御部２０１からコネクタ２０４までの配線や電気部品２０７の故障を、フィードバック線２０６を介して取得する信号を確認することで、画像制御部１２２の異常として検知することができる。
【００２４】
図２（ｃ）に、図２（ｂ）に示すフィードバック部２０５の変形例を示す。図２（ｃ）に示すフィードバック部２０５の拡大図では、シリアル通信線の分岐部が電気部品２０７の上流側に設けられる。シリアル通信線が電気部品２０７の上流側でフィードバック線２０６とＡＤ変換部２２２へのシリアル通信線とに分岐することで、制御部２０１には、電気部品２０７及びコネクタ２０４を介さない信号が帰還される。よって、制御部２０１の異常を、フィードバック線２０６を介して取得する信号を確認することにより、画像制御部１２２の異常として検知することができる。
しかしながら、制御部２０１は、制御部２０１からコネクタ２０４までの配線や電気部品２０７に故障が生じた場合、フィードバック線２０６を介して取得する信号から検知することができない。
以上のことから、フィードバック部２０５の分岐部は、図２（ｂ）に示すように、画像制御部１２２内のできるだけ下流側、例えばコネクタ２０４内或いはコネクタ２０４の下流側に設けられることが好ましい。
【００２５】
ＦＦＣ１１８は、コネクタ２２３が接続される端部に、ＦＦＣ１１８の未接続や断線を検知するためのループバック部１１８１を備える。ループバック部１１８１は、制御部２０１から出力された信号が画像読取部１０３内でループして制御部２０１へ帰還するための配線と、該配線で接続されるＦＦＣ１１８内の２本の信号線と、を含む。
【００２６】
ループバック部１１８１では、制御部２０１から画像読取部１０３へ信号を伝送するＦＦＣ１１８内の信号線と、ループして画像読取部１０３から制御部２０１へ信号を伝送するＦＦＣ１１８内の信号線とが異なる。図２（ａ）では、ＦＦＣ１１８の中心部の信号線により制御部２０１から画像読取部１０３へ信号が伝送され、該信号線に隣接する信号線により画像読取部１０３から制御部２０１へ信号が伝送される。制御部２０１は、ループバック部１１８１により信号を送信して該信号を受信することで、ＦＦＣの接続検知を行う。つまり、このようなループバック部１１８１により、制御部２０１は、ＦＦＣ１１８の半挿しや、斜め挿し等の人的ミスを検知可能である。
【００２７】
ＦＦＣ１１８の接続検知は、電源起動時或いは画像読取処理の開始前に行われる。また、ＦＦＣ１１８接続検知は、画像読取中にＦＦＣ１１８が摺動している間、所定時間間隔（例えば１００ミリ秒毎）で行われる。これにより制御部２０１は、摺動中のＦＦＣ１１８の断線の確認を行うことができる。所定時間は、画像読取部１０３の移動速度に応じて設定される。また、制御部２０１は、画像読取中に接続検知を継続して行ってもよい。
【００２８】
制御部２０１は、ＡＤ変換部２２２にデータを書き込み且つＡＤ変換部２２２に書き込まれたデータを読み出して確認することができる。制御部２０１は、ＡＤ変換部２２２に対して所定のデータの書き込み、読み出しを行うことで、ＡＤ変換部２２２へのデータの書き込みが正常に行われているか否かを確認することができる。このような処理を「ベリファイ」という。
【００２９】
制御部２０１は、画像読取処理の開始前にＡＤ変換部２２２のレジスタ設定を行うために、シリアル通信を行う。制御部２０１は、レジスタ設定前にベリファイを行う。ベリファイの結果、データの書き込みが正常に行えないと判断すると、制御部２０１は、動作モードを、故障箇所を特定するための故障診断モードに切り替わる。
【００３０】
ベリファイは、画像読取処理の開始前だけでなく、電源投入時や画像読取処理の終了後に行われてもよい。電源投入時にベリファイを行うことで、制御部２０１は、画像読取処理の開始前に異常の発生を検知することができる。画像読取処理の終了後にベリファイを行うことで、制御部２０１は、ＦＦＣ１１８の摺動による信号線の断線の有無を確認することができる。
【００３１】
画像制御部１２２は、ＦＦＣ１１８を介して電力を画像読取部１０３へ供給する。ヒューズ２０３は、電力の供給線に所定量以上の電流が流れる場合に、溶断して電力の供給を停止するための保護素子である。電源監視部２０２は、ベリファイにより異常の発生が確認された場合に、ヒューズ２０３が溶断しているか否かを確認する。画像読取部１０３のＡＤ変換部２２２は、画像制御部１２２から供給される電力で動作するために、ベリファイで異常の発生が確認されると、ヒューズ２０３が溶断して電力が供給されていない可能性がある。そのためにベリファイで異常の発生が確認された場合、電源監視部２０２は、ヒューズ２０３の溶断を確認する。
【００３２】
図３は、画像読取装置１００による画像読取処理を表すフローチャートである。この処理は、例えば、原稿がセットされ、不図示の操作部やパーソナルコンピュータ等の外部装置から画像の読取開始の指示が入力されて実行される。原稿のセットは、原稿台ガラス１０５への原稿の載置や、ＡＤＦのトレイへの原稿の載置である。
【００３３】
制御部２０１は、キャリッジ１０２がＨＰ位置に静止した状態におけるＦＦＣ１１８の接続検知を行う（Ｓ３０１）。接続検知の結果、ＦＦＣ１１８が接続されていないと判断した場合（Ｓ３０１：N）、制御部２０１は、ＦＦＣ１１８が未接続或いは断線していると判断する。この場合、制御部２０１は、ＦＦＣ１１８が異常であると判断し（Ｓ３０２）、画像読取を行わずに処理を終了する。制御部２０１は、ＦＦＣ１１８の接続状態を確認するように指示する通知を行う。
【００３４】
ＦＦＣ１１８が接続されている場合（Ｓ３０１：Y）、制御部２０１は、キャリッジ１０２がＨＰ位置に静止した状態でベリファイを行う（Ｓ３０３）。ベリファイの結果、正常にデータの書き込みが行われている場合（Ｓ３０３：Y）、制御部２０１は、ＡＤ変換部２２２に対して、画像読取部１０３が画像を読み取るためのレジスタ設定の書き込みを行う（Ｓ３０４）。
【００３５】
その後、制御部２０１は、キャリッジ１０２を不図示の白色基準板の下方に移動させてシェーディングを行う。制御部２０１は、圧板読取を行うか或いはＡＤＦ読取を行うかを判断する（Ｓ３０５）。圧板読取は、キャリッジ１０２がリーダフレーム１０１内を副走査方向に移動しながら原稿台ガラス１０５に載置された原稿の画像を読み取る読取処理である。ＡＤＦ読取は、ＡＤＦから搬送される原稿の画像を、キャリッジ１０２が流し読みガラス１０４の下方で移動せずに読み取る読取処理である。この判断は、例えば読取指示に含まれる情報や、原稿台ガラス１０５への原稿の載置を検知するセンサの検知結果、或いはＡＤＦのトレイへの原稿の載置を検知するセンサの検知結果に応じて行われる。
【００３６】
圧板読取の場合（Ｓ３０５：N）、制御部２０１は、ＦＦＣ１１８の接続検知を行う（Ｓ３０６）。この場合の接続検知は、画像読取中も含めて所定時間間隔（例えば１００ミリ秒毎）或いは画像読取中に継続して行われる。接続検知の結果、ＦＦＣ１１８が接続されていないと判断した場合（Ｓ３０６：N）、制御部２０１は、ＦＦＣ１１８が未接続或いは断線していると判断する。この場合、制御部２０１は、ＦＦＣ１１８が異常であると判断し（Ｓ３０７）、画像読取を行わずに処理を終了する。制御部２０１は、ＦＦＣ１１８の接続状態を確認するように指示する通知を行う。
ＦＦＣ１１８が接続されている場合（Ｓ３０６：Y）、制御部２０１は、原稿のサイズに応じた読取範囲の画像を読み取り、読取範囲の画像の読取処理が終了すると、この処理を終了する（Ｓ３０８：Y）。
【００３７】
ＡＤＦ読取の場合（Ｓ３０５：Y）、制御部２０１は、キャリッジ１０２を流し読みガラス１０４の下方に固定し、ＡＤＦにより搬送される原稿の画像を画像読取部１０３に読み取らせる。この場合、ＦＦＣ１１８は摺動しない。そのために制御部２０１は、ＦＦＣ１１８の接続検知を行う必要がない。制御部２０１は、ＡＤＦから搬送される原稿が無くなるまで読取処理を行い（Ｓ３０８：N）、原稿が無くなると処理を終了する（Ｓ３０８：Y）。
【００３８】
Ｓ３０３のベリファイの結果、正常にデータの書き込みが行われていない場合（Ｓ３０３：N）、制御部２０１は、動作モードを故障診断モードに設定する（Ｓ３０９）。故障診断モードでは、制御部２０１は、まず、画像制御部１２２から画像読取部１０３へ電力が正常に供給されているか否かを確認する（Ｓ４００）。制御部２０１は、電源監視部２０２によるヒューズ２０３の溶断の確認結果により電力が正常に供給されているか否かを確認する。
【００３９】
電力の供給が正常に行われていないと判断した場合（Ｓ４００：N）、制御部２０１は、電力を供給する電源に異常が発生していると判断し（Ｓ４０１）、処理を終了する。電源に異常が発生する場合、画像制御部１２２のヒューズ２０３の溶断と画像読取部１０３の部品のショートの可能性がある。そのために、電源に異常が発生する場合には、画像制御部１２２が実装される基板と画像読取部１０３が実装される基板との両方の交換が必要となる。
【００４０】
電力の供給が正常に行われている場合（Ｓ４００：Y）、制御部２０１は、所定のデータを出力するためのレジスタの設定を行う（Ｓ４０２）。制御部２０１は、フィードバック部２０５によりフィードバックされる信号の数をカウントするためのカウンタの設定を行う（Ｓ４０３）。制御部２０１は、フィードバック線２０６に分岐される信号線によりＡＤ変換部２２２に送信する予定の信号の数である設定値を設定する（Ｓ４０４）。制御部２０１は、ＡＤ変換部２２２との通信を開始して、所定の信号を出力する（Ｓ４０５）。制御部２０１は、すべての信号を出力して通信が終了するまで待機する（Ｓ４０６）。通信の開始から終了までの間、制御部２０１は、フィードバック部２０５によりフィードバックされる信号の数をカウントする。
【００４１】
制御部２０１は、カウントした信号の数（カウント値）を確認する（Ｓ４０７）。制御部２０１は、カウント値とＳ４０４の処理で設定した設定値とを比較することで、カウント値が正常であるか否かを判断する（Ｓ４０８）。制御部２０１は、カウント値と設定値とが同値であればカウント値が正常であると判断し、カウント値と設定値とが異なればカウント値が異常であると判断する。
【００４２】
カウント値が正常である場合（Ｓ４０８：Y）、制御部２０１は、制御部２０１からの信号の出力が正常に行われていると判断する。そのために制御部２０１は、画像読取部１０３に異常が発生していると判断して（Ｓ４０９）、処理を終了する。この場合、画像読取部１０３が実装される基板が故障していると判断されて、交換される。
【００４３】
カウント値が異常である場合（Ｓ４０８：N）、制御部２０１は、制御部２０１からの信号の出力が正常に行われていないと判断する。そのために制御部２０１は、画像制御部１２２に異常が発生していると判断して（Ｓ４１０）、処理を終了する。この場合、画像制御部１２２が実装される基板が故障していると判断されて、交換される。
【００４４】
以上のような本実施形態の画像読取装置１００は、画像読取処理の開始前にＦＦＣ１１８の接続検知及びベリファイを行うことで、ＦＦＣ１１８の異常と、画像制御部１２２と画像読取部１０３との間の通信異常と、を確認することができる。通信異常を検知した場合、画像読取装置１００は、故障診断を行い、異常の発生した部品が画像制御部１２２と画像読取部１０３とのいずれであるかを判断することができる。判断結果はサービスマンに通知される。これによりサービスマンは、故障した部品への対応を迅速に行うことが可能となる。
また、画像読取装置１００は、キャリッジ１０２を移動させながら行う画像読取中にＦＦＣ１１８の断線検知を行う。これにより画像読取装置１００は、キャリッジ１０２の移動に伴うＦＦＣ１１８の摺動による断線を検知することができる。
【００４５】
以上、画像読取装置１００により説明したが、本実施形態の異常診断装置は、他の電気機器内部の２つの電気部品間の電気的な配線の異常診断も可能である。２つの電気部品は、例えば一方が制御部として機能し、他方が制御部により動作が制御される被制御部として機能する。２つの電気部品間がＦＦＣ１１８により接続されて相互に信号の送受信を行うことができる環境であれば、制御部として機能する電気部品が、上記の制御部２０１として動作することができる。その結果、制御部として機能する電気部品は、ＦＦＣ１１８の接続検知、ベリファイ、電力の供給異常の判断を行い、ＦＦＣ１１８の接続異常、故障した電気部品の検知が可能となる。
【図１】
2020115622.tif 000003
【図２】
2020115622.tif 000004
【図３】
2020115622.tif 000005